(57)【要約】【課題】美容器具を一定量ずつ移動して照射領域の重複と照射領域の通越し移動を減少でき、従って、むだ毛処理をより適正に行うことができる光照射型の美容器具を提供する。【解決手段】本発明に係る光照射型の美容器具は、グリップを兼ねる本体ケース１の一端に、発光源１１およびリフレクター１２を備えた照射ヘッド２が設けられており、照射ヘッド２の投光部１５を肌面に密着させた状態で、発光源１１を発光させることで肌面に美容処理を施すことができる。照射ヘッド２には、本体ケース１を一定量ずつ移動させるシフト手段６が設けられている。シフト手段６は、本体ケース１で回転可能に支持されて肌面に沿って転動するシフトローラー１８と、シフトローラー１８が新たな照射領域へ向かって所定量転動する毎に、同ローラー１８を停止保持する転動停止構造２０を備えている。【選択図】図１
2018192179.tif 000002
【特許請求の範囲】
【請求項１】
グリップを兼ねる本体ケース（１）の一端に、発光源（１１）およびリフレクター（１２）を備えた照射ヘッド（２）が設けられており、
照射ヘッド（２）の投光部（１５）を肌面に密着させた状態で、発光源（１１）を発光させて肌面に美容処理を施す光照射型の美容器具であって、
本体ケース（１）を一定量ずつ移動させるシフト手段（６）が照射ヘッド（２）に設けられていることを特徴とする光照射型の美容器具。
【請求項２】
シフト手段（６）が、本体ケース（１）で回転可能に支持されて肌面に沿って転動するシフト回転体（１８）と、シフト回転体（１８）が新たな照射領域へ向かって所定量転動する毎に、シフト回転体（１８）を停止保持する転動停止構造（２０）とを備えている請求項１に記載の光照射型の美容器具。
【請求項３】
シフト回転体がシフトローラー（１８）で構成されて、本体ケース（１）に設けた支持枠体（１９）でローラー軸（２１）を介して回転可能に支持されており、
新たな照射領域へ向かって所定量転動した状態のシフトローラー（１８）が、転動停止構造（２０）で停止保持されるように構成されている請求項２に記載の光照射型の美容器具。
【請求項４】
転動停止構造（２０）が、シフトローラー（１８）に設けた回転側節度体（２８）と、支持枠体（１９）に設けられて回転側節度体（２８）と係脱する固定側節度体（２９）と、固定側節度体（２９）を回転側節度体（２８）と係合する向きに移動付勢する弾性体（３０）とを備えている請求項３に記載の光照射型の美容器具。
【請求項５】
シフト回転体（１８）の外形形状が一対の頂部（６８）を備えた楕円形、または３以上の頂部（６８）を備えた正多角形状に形成されており、
オフセット回転体（１８）が頂部（６８）を乗り越えながら新たな照射領域へ向かって所定量転動する毎に、シフト回転体（１８）の隣接する頂部（６８）の間の安定周面（６３）が肌面に接触して転動を阻止しており、
シフト回転体（１８）自体が転動停止構造（２０）を兼ねている請求項２に記載の光照射型の美容器具。
【請求項６】
本体ケース（１）の移動方向と直交する照射ヘッド（２）の左右両側にシフト回転体（１８）が配置されている請求項２から５のいずれかひとつに記載の光照射型の美容器具。
【請求項７】
シフト回転体（１８）が本体ケース（１）の肌接触面の外郭線内に配置されている請求項６に記載の光照射型の美容器具。
【請求項８】
シフト手段（６）が、照射ヘッド（２）の移動方向の一側に配置されるシフト回転体（１８）と、シフト回転体（１８）を回転可能に支持する支持枠体（１９）とを備えており、
支持枠体（１９）は、本体ケース（１）で往復変位可能に案内支持されて、シフト回転体（１８）の周面が投光部（１５）から肌面側へ突出する突出姿勢と、シフト回転体（１８）の周面が投光部（１５）と略面一になる作動姿勢とに切換え可能に構成されている請求項２から５のいずれかひとつに記載の光照射型の美容器具。
【請求項９】
シフト回転体がシフトローラー（１８）で形成されて、支持枠体（１９）で回転可能に支持されており、
支持枠体（１９）が作動姿勢に切換えられた状態において、回転側節度体（２８）が固定側節度体（２９）と係合してシフトローラー（１８）が停止保持されており、
支持枠体（１９）が突出姿勢に切換えられた状態において、回転側節度体（２８）と固定側節度体（２９）の係合が解除されて、シフトローラー（１８）が回転可能となる請求項４、または８に記載の光照射型の美容器具。
【請求項１０】
固定側節度体（２９）が本体ケース（１）に装着され、シフトローラー（１８）と回転側節度体（２８）が支持枠体（１９）で回転可能に支持されており、
支持枠体（１９）が、作動姿勢から突出姿勢へ切換えられた状態において、回転側節度体（２８）が固定側節度体（２９）から分離して、シフトローラー（１８）が回転可能となる請求項９に記載の光照射型の美容器具。
【請求項１１】
中空ケース状に構成した支持枠体（１９）が、本体ケース（１）に固定した揺動軸（４５）で揺動可能に支持されており、
支持枠体（１９）の内部には、揺動軸（４５）に固定される固定ギヤ（４６）と、支持枠体（１９）でそれぞれ回転自在に軸支されて固定ギヤ（４６）と噛み合う中間ギヤ（４７）と、中間ギヤ（４７）と噛み合う終段ギヤ（４８）と、終段ギヤ（４８）に隣接配置されてシフトローラー（１８）のローラー軸（２１）に固定される回転側節度体（２８）が配置されており、
終段ギヤ（４８）に、回転側節度体（２８）と係脱する固定側節度体（２９）が設けられており、
支持枠体（１９）が突出姿勢から作動姿勢へ揺動操作されるのに連動して中間ギヤ（４７）および終段ギヤ（４８）が回転駆動されて、固定側節度体（２９）が回転側節度体（２８）と係合してシフトローラー（１８）を停止保持している請求項９に記載の光照射型の美容器具。
【請求項１２】
支持枠体（１９）が本体ケース（１）で突出姿勢と作動姿勢の間、および作動姿勢と格納姿勢の間で切換え可能に支持されている請求項８から１１のいずれかひとつに記載の光照射型の美容器具。
【請求項１３】
照射ヘッド（２）の一側に、支持枠体（１９）が作動姿勢に切換えられた状態において、シフトローラー（１８）を収容するローラー収容部（６０）が設けられており、
ローラー収容部（６０）と、同収容部（６０）に収容したシフトローラー（１８）の対向面に、互いに係合してシフトローラー（１８）を停止保持する回転側節度体（２８）と固定側節度体（２９）が配置されており、
支持枠体（１９）が突出姿勢に切換えられた状態において、回転側節度体（２８）が固定側節度体（２９）から分離してシフトローラー（１８）が回転可能となる請求項９から１１のいずれかひとつに記載の光照射型の美容器具。
【請求項１４】
照射ヘッド（２）の外面に、ローラー収容部（６０）を備えたキャップ枠（５９）が着脱自在に装着されており、
キャップ枠（５９）にローラー収容部（６０）が設けられており、支持枠体（１９）がキャップ枠（５９）で支持されている請求項１３に記載の光照射型の美容器具。
【請求項１５】
シフトローラー（１８）を支持する支持枠体（１９）が、キャップ枠（５９）に設けた揺動軸（４５）で、突出姿勢と作動姿勢の間、および作動姿勢と格納姿勢の間で切換え可能に支持されており、
支持枠体（１９）とキャップ枠（５９）の間に、支持枠体（１９）を各姿勢において位置保持する位置保持構造が設けられている請求項１３、または１４に記載の光照射型の美容器具。
【請求項１６】
本体ケース（１）の一端に中空筒状のシフト回転体（１８）が配置されており、
シフト回転体（１８）の内部に、発光源（１１）およびリフレクター（１２）を備えた照射ヘッド（２）と、同ヘッド（２）を固定支持するヘッド枠（６２）が設けられており、
シフト回転体（１８）の周壁に、照射ヘッド（２）の投光部（１５）と正対して、発光源（１１）から照射された光の通過を許す透明の照射窓板（１８ｂ）が設けられている請求項２に記載の光照射型の美容器具。
【請求項１７】
シフト回転体（１８）の断面が正多角形筒状に形成されて、その両側端に設けた軸受部（１８ｃ）が支持枠体（１９）に設けた一対のローラー軸（２１）で回転可能に支持されており、
ヘッド枠（６２）は、ローラー軸（２１）に回転不能に接続されており、
シフト回転体（１８）の各周辺壁に照射窓板（１８ｂ）が設けられている請求項１６に記載の光照射型の美容器具。
【請求項１８】
本体ケース（１）の内部に、シフト回転体（１８）をモーター（５６）の動力で回転駆動する駆動構造が設けられており、
シフト回転体（１８）を駆動構造で回転駆動することにより、美容器具が自走移動できるように構成されている請求項６、または７に記載の光照射型の美容器具。
【請求項１９】
シフト回転体（１８）を駆動構造で間欠的に回転駆動して、照射ヘッド（２）の投光部（１５）が新たな照射領域と正対する毎に、シフト回転体（１８）が停止保持される請求項１８に記載の光照射型の美容器具。
【請求項２０】
シフト回転体（１８）が停止する毎に、発光源（１１）を自動的に発光させる請求項１８、または１９に記載の光照射型の美容器具。
【請求項２１】
シフト回転体（１８）と支持枠体（１９）の間に、発光源（１１）への駆動電流の供給を許すスイッチ（８１）が設けられており、
シフト回転体（１８）が停止する毎に、前記スイッチ（８１）がオン状態に切換って発光源（１１）を発光させるように構成されている請求項２０に記載の光照射型の美容器具。
【請求項２２】
シフト手段（６）が、シフト回転体（１８）と、シフト回転体（１８）を回転可能に支持する支持枠体（１９）を備えており、
支持枠体（１９）は、本体ケース（１）と支持枠体（１９）の間に設けた付勢ばね（２４）で移動付勢されて、シフト回転体（１８）の周面が投光部（１５）から肌面側へ突出する突出姿勢に保持されており、
付勢ばね（２４）の付勢力に抗して本体ケース（１）を押し下げ操作することにより、投光部（１５）が肌面に密着する作動姿勢に切換えることができる請求項１から７、または請求項２０、２１のいずれかひとつに記載の光照射型の美容器具。
【請求項２３】
本体ケース（１）が作動姿勢に切換った状態において、発光源（１１）に対して駆動電流を供給するスイッチ（８１）がオン状態に切換って発光源（１１）を発光できる請求項２２に記載の光照射型の美容器具。
【請求項２４】
シフト手段（６）が、照射ヘッド（２）の投光部（１５）の周囲に設けた複数の突出構造体（７０）で構成されており、
投光部（１５）が肌面に押付けられる毎に、肌面に形成される突出構造体（７０）の押付跡を指標にして投光部（１５）を新たな照射領域に正対させる請求項１に記載の光照射型の美容器具。
【請求項２５】
突出構造体（７０）が本体ケース（１）と突出構造体（７０）の間に配置した弾性体（７１）で、照射ヘッド（２）から進出する向きに押出し付勢されている請求項２４に記載の光照射型の美容器具。
【請求項２６】
シフト手段（１６）が、照射ヘッド（２）の投光部（１５）の周囲に設けた複数のスタンプ体（７４）で構成されており、
投光部（１５）が肌面に押付けられる毎に、肌面に形成されるスタンプ体（７４）のスタンプ跡を指標にして投光部（１５）を新たな照射領域に正対させる請求項１に記載の光照射型の美容器具。
【請求項２７】
シフト手段（６）が、照射ケース（１０）に設けられて光、音、振動の少なくともひとつの報知信号を発信するシフト報知構造を備えており、
照射ヘッド（２）の投光部（１５）が一定量移動操作される毎に、シフト報知構造で報知信号を発して投光部（１５）を新たな照射領域と正対させる請求項１に記載の光照射型の美容器具。
【請求項２８】
投光部（１５）が新たな照射領域と正対する毎に、発光源（１１）に対して駆動電流を供給するスイッチ（８１）がオン状態に切換って発光源（１１）を自動的に発光させる請求項２７に記載の光照射型の美容器具。
【発明の詳細な説明】
【技術分野】
【０００１】
本発明は、例えば肌面に光を照射してむだ毛処理を行う光照射型の美容器具に関する。
【背景技術】
【０００２】
この種の美容器具は、例えば特許文献１に公知である。この特許文献１に記載の美容器具では、角笛状に湾曲する本体の湾曲端に、光照射部と除毛部とが設けられている。光照射部は、本体で上下動自在に支持されてばねで押出し付勢される遮光筒部と、遮光筒部の内部に配置される照射ユニット部とを備えている。照射ユニット部は、光源およびリフレクターと、これら両者を支持する基台部などで構成されている。照射ユニット部の下部には、光照射部を冷却するための冷却ファンが配置されている。除毛部は、櫛刃状の固定刃および可動刃を備えたトリマー刃と、可動刃を往復駆動するモーターなどを備えている。美容器具を使用する場合には、遮光筒部の筒端を肌面にあてがった状態で本体を肌面側へ押当てることにより、照射スイッチがオンされて高電圧の電流が光源に供給され、パルス光が肌面に照射される。同様の美容器具は特許文献２にも開示されている。
【先行技術文献】
【特許文献】
【０００３】
【特許文献１】特開２０１２−２３９８７３号公報（段落番号００３２〜００４９、図１）
【特許文献２】特開２０１５−７３７４４号公報（段落番号００２５、図１、図２）
【発明の概要】
【発明が解決しようとする課題】
【０００４】
特許文献１、および特許文献２の光照射型の美容器具においては、肌面に遮光筒部をあてがった状態でパルス光を照射するが、遮光筒部をあてがう位置（照射領域）を順にずらしてむだ毛処理を行う必要がある。例えば、下腿のむだ毛処理を行う場合には、膝側から足首へ向かって照射領域をずらしながらむだ毛処理を行う。しかし、照射領域をずらすときの移動量が一定ではないため、移動量が小さいと前回の照射領域と新たな照射領域が大きく重複して、肌面にダメージを与えてしまうことがある。また、移動量が大きいと新たな照射領域が照射すべき肌面を通越して、前回の照射領域と新たな照射領域の間にパルス光が照射されなかった未処理の肌面が残ることがある。
【０００５】
本発明の目的は、美容器具を一定量ずつ移動して照射領域の重複および通越し移動を低減でき、従って、むだ毛処理をより適正に行える光照射型の美容器具を提供することにある。
【課題を解決するための手段】
【０００６】
本発明は、グリップを兼ねる本体ケース１の一端に、発光源１１およびリフレクター１２を備えた照射ヘッド２が設けられており、照射ヘッド２の投光部１５を肌面に密着させた状態で、発光源１１を発光させて肌面に美容処理を施す光照射型の美容器具を対象とする。本体ケース１を一定量ずつ移動させるシフト手段６が照射ヘッド２に設けられていることを特徴とする。本体ケース１を一定量ずつ移動させる際の「一定量」とは、投光部１５における照射領域の重複や通越し移動を生じない移動距離であることが理想的であるが、ユーザーが本体ケース１を移動操作して美容処理を行うので、照射領域の僅かな重複や、照射領域の僅かな通越し移動が生じるのは避けられない。従って、本発明において照射領域の僅かな重複や僅かな通越し移動は、本体ケース１を一定量ずつ移動させる際の「一定量」の概念の範囲内にあるものとする。
【０００７】
シフト手段６は、本体ケース１で回転可能に支持されて肌面に沿って転動するシフト回転体１８と、シフト回転体１８が新たな照射領域へ向かって所定量転動する毎に、同回転体１８を停止保持する転動停止構造２０とを備えている。
【０００８】
シフト回転体はシフトローラー１８で構成されて、本体ケース１に設けた支持枠体１９でローラー軸２１を介して回転可能に支持されている。新たな照射領域へ向かって所定量転動した状態のシフトローラー１８は、転動停止構造２０で停止保持される。シフトローラー１８は、断面円形のローラーやギヤ歯状のローラーで構成することができる。
【０００９】
図４に示すように、転動停止構造２０は、シフトローラー１８に設けた回転側節度体２８と、支持枠体１９に設けられて回転側節度体２８と係脱する固定側節度体２９と、固定側節度体２９を回転側節度体２８と係合する向きに移動付勢する弾性体３０とを備えている。
【００１０】
シフト回転体１８の外形形状は一対の頂部６８を備えた楕円形、または３以上の頂部６８を備えた正多角形状に形成されている（図２０、図２１参照）。シフト回転体１８が頂部６８を乗り越えながら新たな照射領域へ向かって所定量転動する毎に、シフト回転体１８の隣接する頂部６８の間の安定周面６３が肌面に接触して転動を阻止する。シフト回転体１８自体が転動停止構造２０を兼ねている。
【００１１】
本体ケース１の移動方向と直交する照射ヘッド２の左右両側にシフト回転体１８を配置する（図２参照）。
【００１２】
シフト回転体１８は本体ケース１の肌接触面の外郭線内に配置する。
【００１３】
シフト手段６は、照射ヘッド２の移動方向の一側に配置されるシフト回転体１８と、シフト回転体１８を回転可能に支持する支持枠体１９を備えている。支持枠体１９は、本体ケース１で往復変位可能に案内支持されて、シフト回転体１８の周面が投光部１５から肌面側へ突出する突出姿勢と、シフト回転体１８の周面が投光部１５と略面一になる作動姿勢とに切換え可能である。本発明において、シフト回転体１８の周面が投光部１５と略面一になるとは、シフト回転体１８の周面が投光部１５と面一である状態と、投光部１５から僅かに突出している状態を含むこととする。
【００１４】
シフト回転体はシフトローラー１８で形成されて、支持枠体１９で回転可能に支持されている。支持枠体１９が作動姿勢に切換えられた状態においては、回転側節度体２８が固定側節度体２９と係合してシフトローラー１８が停止保持される。支持枠体１９が突出姿勢に切換えられた状態においては、回転側節度体２８と固定側節度体２９の係合が解除されて、シフトローラー１８が回転可能となる。ここで、支持枠体１９が突出姿勢に切換えられた状態において、シフトローラー１８が回転可能となるとは、節度動作を伴わない自由な回転動作を意味しており、支持枠体１９が作動姿勢に切換えられた状態において、シフトローラー１８が節度動作を伴いながら間欠的に回転する回転動作とは異なるものである。
【００１５】
固定側節度体２９は本体ケース１に装着されて、シフトローラー１８と回転側節度体２８が支持枠体１９で回転可能に支持されている。支持枠体１９が作動姿勢から突出姿勢へ切換えられた状態において、回転側節度体２８が固定側節度体２９から分離して、シフトローラー１８は回転可能となる。
【００１６】
中空ケース状に構成した支持枠体１９が、本体ケース１に固定した揺動軸４５で揺動可能に支持されている。図１０に示すように支持枠体１９の内部には、揺動軸４５に固定される固定ギヤ４６と、支持枠体１９でそれぞれ回転自在に軸支されて固定ギヤ４６と噛み合う中間ギヤ４７と、中間ギヤ４７と噛み合う終段ギヤ４８と、終段ギヤ４８に隣接配置されてシフトローラー１８のローラー軸２１に固定される回転側節度体２８が配置されている。終段ギヤ４８に、回転側節度体２８と係脱する固定側節度体２９を設ける。支持枠体１９が突出姿勢から作動姿勢へ揺動操作されるのに連動して中間ギヤ４７および終段ギヤ４８が回転駆動されて、固定側節度体２９が回転側節度体２８と係合してシフトローラー１８を停止保持している。
【００１７】
支持枠体１９が本体ケース１で突出姿勢と作動姿勢の間、および作動姿勢と格納姿勢の間で切換え可能に支持されている。
【００１８】
照射ヘッド２の一側に、支持枠体１９が作動姿勢に切換えられた状態において、シフトローラー１８を収容するローラー収容部６０を設ける（図１３参照）。ローラー収容部６０と、同収容部６０に収容したシフトローラー１８の対向面に、互いに係合してシフトローラー１８を停止保持する回転側節度体２８と固定側節度体２９を配置する。支持枠体１９が突出姿勢に切換えられた状態において、回転側節度体２８が固定側節度体２９から分離してシフトローラー１８が回転可能となる。
【００１９】
照射ヘッド２の外面に、ローラー収容部６０を備えたキャップ枠５９を着脱自在に装着する。キャップ枠５９にローラー収容部６０が設けてあり、支持枠体１９がキャップ枠５９で支持してある。
【００２０】
シフトローラー１８を支持する支持枠体１９が、キャップ枠５９に設けた揺動軸４５で、突出姿勢と作動姿勢の間、および作動姿勢と格納姿勢の間で切換え可能に支持されている。支持枠体１９とキャップ枠５９の間に、支持枠体１９を各姿勢において位置保持する位置保持構造を設ける。
【００２１】
本体ケース１の一端に中空筒状のシフト回転体１８を配置する。図１５に示すように、シフト回転体１８の内部に、発光源１１およびリフレクター１２を備えた照射ヘッド２と、同ヘッド２を固定支持するヘッド枠６２を設ける。シフト回転体１８の周壁に、照射ヘッド２の投光部１５と正対して、発光源１１から照射された光の通過を許す透明の照射窓板１８ｂを設ける。
【００２２】
シフト回転体１８の断面が正多角形筒状に形成されて、その両側端に設けた軸受部１８ｃが支持枠体１９に設けた一対のローラー軸２１で回転可能に支持されている。ヘッド枠６２は、ローラー軸２１に回転不能に接続される。シフト回転体１８の各周辺壁に照射窓板１８ｂを設ける。
【００２３】
図１２に示すように、本体ケース１の内部に、シフト回転体１８をモーター５６の動力で回転駆動する駆動構造を設ける。シフト回転体１８を駆動構造で回転駆動することにより、美容器具は自走移動できる。
【００２４】
シフト回転体１８を駆動構造で間欠的に回転駆動して、照射ヘッド２の投光部１５が新たな照射領域と正対する毎に、シフト回転体１８を停止保持する。
【００２５】
シフト回転体１８が停止する毎に、発光源１１を自動的に発光させる。
【００２６】
シフト回転体１８と支持枠体１９の間に、発光源１１への駆動電流の供給を許すスイッチ８１を設ける（図２６参照）。シフト回転体１８が停止する毎に、前記スイッチ８１がオン状態に切換って発光源１１を発光させる。
【００２７】
シフト手段６は、シフト回転体１８と、シフト回転体１８を回転可能に支持する支持枠体１９を備えている。支持枠体１９は、本体ケース１と支持枠体１９の間に設けた付勢ばね２４で移動付勢されて、シフト回転体１８の周面が投光部１５から肌面側へ突出する突出姿勢に保持されている。付勢ばね２４の付勢力に抗して本体ケース１を押し下げ操作することにより、投光部１５が肌面に密着する作動姿勢に切換えることができる。
【００２８】
本体ケース１が作動姿勢に切換った状態において、発光源１１に対して駆動電流を供給するスイッチ８１がオン状態に切換って発光源１１を発光できる。
【００２９】
図２２に示すようにシフト手段６は、照射ヘッド２の投光部１５の周囲に設けた複数の突出構造体７０で構成する。投光部１５が肌面に押付けられる毎に、肌面に形成される突出構造体７０の押付跡を指標にして投光部１５を新たな照射領域に正対させる。
【００３０】
突出構造体７０は本体ケース１と突出構造体７０の間に配置した弾性体７１で、照射ヘッド２から進出する向きに押出し付勢する（図２３参照）。
【００３１】
図２５に示すようにシフト手段１６は、照射ヘッド２の投光部１５の周囲に設けた複数のスタンプ体７４で構成する。投光部１５が肌面に押付けられる毎に、肌面に形成されるスタンプ体７４のスタンプ跡を指標にして投光部１５を新たな照射領域に正対させる。
【００３２】
シフト手段６は、照射ケース１０に設けられて光、音、振動の少なくともひとつの報知信号を発信するシフト報知構造を備えている。照射ヘッド２の投光部１５が一定量移動操作される毎に、シフト報知構造で報知信号を発して投光部１５を新たな照射領域と正対させる。
【００３３】
投光部１５が新たな照射領域と正対する毎に、発光源１１に対して駆動電流を供給するスイッチ８１がオン状態に切換って発光源１１を自動的に発光できる。
【発明の効果】
【００３４】
本発明の美容器具においては、照射ヘッド２にシフト手段６を設けて、本体ケース１を一定量ずつ移動させる際に、肌面における照射領域の重複および通越し移動を低減できるようにした。こうした美容器具によれば、美容器具を肌面に沿って概ね過不足なく移動できるので、照射領域が大きく重複して発光源１１の照射回数が増加し、早期に発光源１１が劣化し、あるいは照射領域の通越し移動に伴って未処理の肌面が大きく残るなどの不具合を一掃して、美容処理を適正に行える。
【００３５】
シフト回転体１８と転動停止構造２０を備えたシフト手段６によれば、シフト回転体１８が新たな照射領域へ向かって所定量転動する毎に、シフト回転体１８を転動停止構造２０で停止保持できるので、照射ヘッド２をシフト移動させるときの移動量が大きくばらつくのを解消できる。従って、照射領域が重複し、あるいは照射領域の通越し移動をさらに確実に減少して、万遍なく美容処理を行うことができる。
【００３６】
シフト回転体が、支持枠体１９でローラー軸２１を介して回転可能に支持したシフトローラー１８で構成されていると、肌面に沿ってシフトローラー１８が転動することで、本体ケース１を肌面に沿って一定量ずつ円滑に移動操作できる。従って、シフト回転体がローラー構造ではない回転体で構成してある場合に比べて、照射ヘッド２の移動量が大小にばらつくのを解消できる。
【００３７】
回転側節度体２８と固定側節度体２９と弾性体３０で構成した転動停止構造２０によれば、シフトローラー１８が一定量回転する毎に回転側節度体２８と固定側節度体２９が互いに係合して、シフトローラー１８を適確に停止保持できる。従って、照射ヘッド２を新たな照射領域へ向かってシフト移動させるときの移動量がばらつくのを、さらに確実に解消できる。
【００３８】
シフト回転体１８の外形形状は、一対の頂部６８を備えた楕円形、または３以上の頂部６８を備えた正多角形状に形成するようにした。こうしたシフト回転体１８によれば、シフト回転体１８が頂部６８を乗り越えながら新たな照射領域へ向かって所定量転動する毎に、シフト回転体１８の隣接する頂部６８の間の安定周面６３が肌面に接触して転動を阻止できる。このようにシフト回転体１８自体が転動停止構造２０を兼ねるようにすると、転動停止構造２０を省略できるので、その分だけ美容器具を低コスト化できる。また、シフト回転体１８が回転するとき、投光部１５が肌面から浮き離れた状態になるので、肌面が投光部１５で不必要に擦られるのを解消して、肌面を保護できる。
【００３９】
本体ケース１の移動方向と直交する照射ヘッド２の左右両側にシフト回転体１８が配置されていると、美容器具の全体重量を一対のシフト回転体１８で支持した状態で移動できるので、照射ヘッド２を安定した状態で支持でき、その移動を適確に行える。また、シフト回転体１８が照射領域の左右両側に配置されているので、前回の照射領域と新たな照射領域を明確に目視しながらシフト回転体１８を適確に回転させることができる。因みに、シフト回転体１８が他の位置に設けられている場合には、シフト回転体１８が照射領域を目視する際の邪魔になるおそれがある。
【００４０】
シフト回転体１８が本体ケース１の肌接触面の外郭線内に配置されていると、シフト手段６の殆どの部分が本体ケース１で覆われるので、シフト手段６が視認されて繁雑な印象を与えるのを極力避けて、美容器具の外観上のデザイン性を向上できる。
【００４１】
シフト手段６が、照射ヘッド２の移動方向の一側に配置されるシフト回転体１８と、シフト回転体１８を回転可能に支持する支持枠体１９を備えるようにした。また、支持枠体１９は、本体ケース１で往復変位可能に案内支持されて、シフト回転体１８の周面が投光部１５から肌面側へ突出する突出姿勢と、シフト回転体１８の周面が投光部１５と略面一になる作動姿勢とに切換え可能とした。こうした美容器具によれば、シフト回転体１８が所定量転動する毎に、同回転体１８を転動停止構造２０で停止保持して、照射領域が重複し、あるいは照射領域の通越し移動を確実に減少できる。さらに、支持枠体１９を突出姿勢に切換えた状態では、シフト回転体１８を肌面に沿って転動させることにより、肌面に転がり刺激や擦り刺激を与えることができる。
【００４２】
シフトローラー１８と、同ローラー１８を回転可能に支持する支持枠体１９を備えた美容器具において、支持枠体１９が作動姿勢に切換えられた状態では、回転側節度体２８が固定側節度体２９と係合してシフトローラー１８を停止保持できるようにした。さらに、支持枠体１９が突出姿勢に切換えられた状態では、回転側節度体２８と固定側節度体２９の係合が解除されて、シフトローラー１８が回転可能となるようにした。こうした美容器具によれば、支持枠体１９を突出姿勢に切換えた状態では、シフトローラー１８が自由に回転できる状態になるので、シフトローラー１８を肌面に沿って転動させることにより、肌面に転がり刺激や擦り刺激を与えることができる。
【００４３】
固定側節度体２９を本体ケース１に装着し、シフトローラー１８と回転側節度体２８が支持枠体１９で同行回転可能に支持されるようにした。また、支持枠体１９が作動姿勢から突出姿勢へ切換えられた状態においては、回転側節度体２８が固定側節度体２９から分離することで、シフトローラー１８が回転可能となるようにした。この転動停止構造２０によれば、支持枠体１９を突出姿勢に切換えた状態では、シフトローラー１８が自由に回転できる状態になるので、シフトローラー１８を肌面に沿って転動させることにより、肌面に転がり刺激や擦り刺激を与えることができる。また、固定側節度体２９が本体ケース１の側に設けられているので、固定側節度体２９が支持枠体１９側に設けられている場合に比べて、支持枠体１９などの回転側節度体２８の周辺構造が複雑になるのを解消できる。
【００４４】
中空ケース状に構成した支持枠体１９の内部に、固定ギヤ４６と、中間ギヤ４７と、終段ギヤ４８と、回転側節度体２８を収容するようにした。また、終段ギヤ４８に固定側節度体２９を設けて、支持枠体１９が突出姿勢から作動姿勢へ揺動操作されるのに連動して中間ギヤ４７および終段ギヤ４８が回転駆動されて、固定側節度体２９が回転側節度体２８と係合してシフトローラー１８を停止保持できるようにした。こうした美容器具によれば、支持枠体１９を突出姿勢と作動姿勢の間で揺動操作するだけで、固定側節度体２９と回転側節度体２８を係脱させて、シフトローラー１８を停止保持し、あるいは回転可能な状態に切換えることができる。また、支持枠体１９を突出姿勢に切換えた状態では、固定側節度体２９と回転側節度体２８の係合を解除して、シフトローラー１８が自由に回転できる状態になるので、シフトローラー１８を肌面に沿って転動させることにより、肌面に転がり刺激や擦り刺激を与えることができる。
【００４５】
支持枠体１９を突出姿勢と作動姿勢と格納姿勢に切換え可能とした美容器具によれば、シフトローラー１８を照射ヘッド２から充分に離れた格納姿勢に位置保持できるので、鼻と唇の間の肌面に光を照射して美容処理を行う際に、シフトローラー１８が邪魔になるのを解消して、美容器具の使い勝手を向上できる。
【００４６】
照射ヘッド２の一側に、支持枠体１９が作動姿勢に切換えられた場合に、シフトローラー１８を収容するローラー収容部６０を設けるようにした。また、ローラー収容部６０とシフトローラー１８の対向面に、固定側節度体２９と回転側節度体２８を配置して、支持枠体１９が突出姿勢に切換えられた場合に、回転側と固定側の両節度体２８・２９が分離してシフトローラー１８が回転可能となるようにした。こうした美容器具によれば、支持枠体１９が作動姿勢に切換えられた状態においては、シフトローラー１８がローラー収容部６０に収容されるので、誤って他物がシフトローラー１８に接当して支持枠体１９が突出姿勢に切換えられてしまうのをローラー収容部６０で防止できる。
【００４７】
照射ヘッド２の外面に、ローラー収容部６０を備えたキャップ枠５９を着脱自在に装着し、キャップ枠５９にローラー収容部６０を設け、支持枠体１９をキャップ枠５９で支持するようにした。こうした美容器具によれば、キャップ枠５９を装着した状態では、シフトローラー１８を使用して美容処理を行うことができ、また、キャップ枠５９を照射ヘッド２から取外すことで、シフトローラー１８およびキャップ枠５９のみで美容処理を行うことができる。詳しくは、キャップ枠５９を本体ケース１から取外し、支持枠体１９を突出姿勢に切換えると、シフトローラー１８が回転自在となるので、この状態のシフトローラー１８を肌面に沿って転動させることにより、肌面に転がり刺激や擦り刺激を与えることができる。また、本体ケース１から取外したキャップ枠５９を使用して肌面に転がり刺激を与えることができるので、支持枠体１９が本体ケース１に装着された状態のままで転がり刺激を与える場合に比べて、美容処理を手軽にしかも簡便に行える。
【００４８】
支持枠体１９が、キャップ枠５９に設けた揺動軸４５で、突出姿勢と作動姿勢の間、および作動姿勢と格納姿勢の間で切換え可能に支持されるようにした。また、支持枠体１９とキャップ枠５９の間に、支持枠体１９を各姿勢において位置保持する位置保持構造を設けるようにした。こうした美容器具によれば、支持枠体１９をキャップ枠５９に対して揺動操作するだけで、突出姿勢と作動姿勢の間、および作動姿勢と格納姿勢の間で切換えることができる。さらに、支持枠体１９は、各姿勢に切換った状態で位置保持構造によって位置保持できるので、ユーザーの明確な意図がない限り支持枠体１９の姿勢が変わってしまうのを確実に防止できる。
【００４９】
本体ケース１の一端に中空筒状のシフト回転体１８を配置し、その内部に、発光源１１およびリフレクター１２を備えた照射ヘッド２と、同ヘッド２を固定支持するヘッド枠６２を設けるようにした。また、シフト回転体１８の周壁に、透明の照射窓板１８ｂを設けるようにした。こうした美容器具によれば、照射ヘッド２がシフト回転体１８の内部に収容してあるので、落下衝撃をシフト回転体１８で受け止めることができ、従って落下衝撃によって発光源１１が破損するのをよく防止できる。照射ヘッド２がヘッド枠６２で固定支持してあるので、シフト回転体１８が新たな照射領域へ向かって回転移動した場合でも、照射ヘッド２は本体ケース１の延長上に位置していて、両者１・２の位置関係は常に一定になる。従って、本体ケース１が肌面に対して傾き、しかも投光部１５と正対していない照射窓板１８ｂが肌面に接触した状態で、発光源１１が発光される誤使用を確実に防止できる。
【００５０】
シフト回転体１８の断面を正多角形筒状に形成して、その両側端に設けた軸受部１８ｃを支持枠体１９に設けた一対のローラー軸２１で回転可能に支持するようにした。また、ヘッド枠６２は、ローラー軸２１に回転不能に接続し、シフト回転体１８の各周辺壁に照射窓板１８ｂを設けるようにした。こうした美容器具では、シフト回転体１８を回転させて美容器具を新たな照射領域へ移動させるが、シフト回転体１８が所定の角度だけ回転する毎に、照射窓板１８ｂを含む辺部が肌面で受止められて、その状態を保持できる。換言すると、シフト回転体１８は、その隣接する頂部６８の間の辺部（安定周面）６３が肌面に接触して転動を阻止するので、シフト回転体１８自体が転動停止構造２０を兼ねることができる。そのため、転動停止構造２０を省略できる分だけ美容器具の構造を簡素化して製造コストを削減できる。
【００５１】
シフト回転体１８をモーター５６の回転動力を駆動源とする駆動構造で回転駆動すると、美容器具を自走移動させて投光部１５を新たな照射領域に臨ませることができる。従って、ユーザー自身が本体ケース１を移動操作して投光部１５を新たな照射領域に臨ませる場合に比べて、投光部１５の移動量が大きくばらつくのを解消できる。また、美容処理に要する手間を省いて簡便に美容処理を行える。
【００５２】
シフト回転体１８を駆動構造で間欠的に回転駆動させて、照射ヘッド２の投光部が新たな照射領域と正対する毎にシフト回転体１８を停止保持するように構成されていると、シフト回転体１８を過不足なく自走移動させることができるので、照射領域が重複し、あるいは照射領域の通越し移動することをさらに確実に減少できる。美容器具を使用するときのユーザーは、単に本体ケース１を適正な姿勢に保持しておくだけでよいので、美容処理に要する手間をさらに省くことができる。また、転動停止構造２０を省略できるので美容器具の構造を簡素化できる。
【００５３】
シフト回転体１８が停止する毎に、発光源１１を自動的に発光させると、発光源１１を発光させるためのスイッチ操作を行う必要がないため、美容処理に要する手間をさらに省いて、より簡便に美容処理を行うことができる。
【００５４】
シフト回転体１８と支持枠体１９の間にスイッチ８１が設けられていると、シフト回転体１８が停止する毎、つまり投光部１５が新たな照射領域と正対する毎に、スイッチ８１をオン状態に切換えて発光源１１を自動的に発光させることができ、さらに簡便に美容処理を行うことができる。
【００５５】
シフト手段６が、シフト回転体１８と、シフト回転体１８を回転可能に支持する支持枠体１９を備えるようにした。また、支持枠体１９を付勢ばね２４で移動付勢して、シフト回転体１８の周面が投光部１５から肌面側へ突出する突出姿勢に保持されるようにした。こうした美容器具によれば、シフト回転体１８が新たな照射領域に向かって回転する状態では、投光部１５が肌面から浮き離れた状態で照射ヘッド２を移動できるので、肌面が投光部１５で不必要に擦られるのを解消して、肌面を保護できる。また、投光部１５が新たな照射領域と正対した状態で、付勢ばね２４の付勢力に抗して本体ケース１を押下げ操作することにより、投光部１５を肌面に密着させた状態で美容処理を行うことができる。
【００５６】
本体ケース１が作動姿勢に切換った状態において、スイッチ８１がオン状態に切換って発光源１１を発光させる美容器具によれば、発光源１１を発光させるためのスイッチ操作を行う必要がないので、美容処理に要する手間をさらに省いて、より簡便に美容処理を行うことができる。
【００５７】
投光部１５の周囲に設けた複数の突出構造体７０で構成したシフト手段６によれば、投光部１５が肌面に押付けられる毎に、肌面に形成される突出構造体７０の押付跡を指標にして投光部１５を新たな照射領域に正対させることができる。従って、照射領域が重複し、あるいは照射領域の通越し移動を減少させて、万遍なく美容処理を行うことができる。また、投光部１５の周囲に複数の突出構造体７０を設けるだけであるので、シフト回転体１８を移動要素とするシフト手段６に比べて、美容器具の構造を著しく簡素化して低コスト化できる。
【００５８】
突出構造体７０が弾性体７１で照射ヘッド２から進出する向きに押出し付勢されていると、突出構造体７０が肌面に押付けられるとき、弾性体７１が弾性変形することで過剰な押付け力を吸収できる。従って、賦形部７３が肌面に不必要に食い込むのを解消して、押付跡が形成されることに伴う肌面のダメージを極力避けることができる。
【００５９】
投光部１５の周囲に設けた複数のスタンプ体７４で構成したシフト手段１６によれば、投光部１５が肌面に押付けられる毎に、肌面に形成されるスタンプ跡を指標にして投光部１５を新たな照射領域に正対させることができる。従って、照射領域が重複し、あるいは照射領域の通越し移動を減少させて、万遍なく美容処理を行うことができる。また、投光部１５の周囲に複数のスタンプ体７４を設けるだけであるので、シフト回転体１８を移動要素とするシフト手段６に比べて、美容器具の構造を著しく簡素化して低コスト化できる。
【００６０】
光、音、振動の少なくともひとつの報知信号を発信するシフト報知構造を備えているシフト手段６によれば、投光部１５が所定量移動操作される毎に、シフト報知構造で報知信号を発して投光部１５を新たな照射領域と正対させることができる。従って、照射領域が重複し、あるいは照射領域の通越し移動を減少させて、万遍なく美容処理を行うことができる。また、光、音、振動のいずれかひとつを確認することで、投光部１５が新たな照射領域と正対したことを感覚的に認識できるので、投光部１５をゆっくりと移動させる必要もなく速やかに移動操作させて、美容器具の使い勝手を向上できる。
【００６１】
投光部１５が新たな照射領域と正対する毎に、スイッチ８１がオン状態に切換って発光源１１を自動的に発光できるように構成されていると、発光源１１を発光させるためのスイッチ操作を行う必要がないので、美容処理に要する手間を省いて、より簡便に美容処理を行うことができる。
【図面の簡単な説明】
【００６２】
【図１】本発明の実施例１に係る美容器具の概略を示す縦断側面図である。
【図２】実施例１に係る美容器具の要部の縦断正面図である。
【図３】シフト手段の概略正面図である。
【図４】図３におけるＡ−Ａ線断面図である。
【図５】本発明の実施例２に係る美容器具の転動停止構造の縦断側面図である。
【図６】本発明の実施例３に係る美容器具のシフト手段の縦断側面図である。
【図７】実施例３に係るシフト手段の背面図である。
【図８】実施例３に係るシフト手段を突出姿勢にした状態の縦断側面図である。
【図９】本発明の実施例４に係る美容器具のシフト手段の縦断正面図である。
【図１０】実施例４に係るシフト手段の縦断側面図である。
【図１１】実施例４に係るシフト手段を作動姿勢にした状態の縦断側面図である。
【図１２】本発明の実施例５に係る美容器具のシフト手段の縦断正面図である。
【図１３】本発明の実施例６に係る美容器具のシフト手段の分解側面図である。
【図１４】実施例６に係るシフト手段を作動姿勢にした状態の側面図である。
【図１５】本発明の実施例７に係る美容器具のシフト手段の縦断正面図である。
【図１６】実施例７に係るシフト手段の縦断側面図である。
【図１７】本発明の実施例８に係る美容器具のシフト手段の縦断面図である。
【図１８】図１７におけるＢ−Ｂ線断面図である。
【図１９】図１７におけるＣ−Ｃ線断面図である。
【図２０】本発明の実施例９に係る美容器具のシフト手段の縦断側面図である。
【図２１】本発明の実施例１０に係る美容器具のシフト手段の縦断側面図である。
【図２２】本発明の実施例１１に係る美容器具のシフト手段の底面図である。
【図２３】実施例１１に係るシフト手段の突出構造体の縦断面図である。
【図２４】本発明の実施例１２に係る美容器具の突出構造体の斜視図である。
【図２５】本発明の実施例１３に係る美容器具のスタンプ体の斜視図である。
【図２６】本発明の実施例１４に係る美容器具のスイッチ構造の断面図である。
【図２７】本発明の実施例１５に係る美容器具のスイッチ構造の断面図である。
【図２８】本発明の実施例１６に係る美容器具のシフト手段の底面図である。
【図２９】図２８におけるＤ−Ｄ線断面図である。
【発明を実施するための形態】
【００６３】
（実施例１）  図１ないし図４は、本発明に係る光照射型の美容器具の実施例１を示す。本発明における前後、左右、上下とは、図１および図２に示す交差矢印と、各矢印の近傍に表記した前後、左右、上下の表示に従う。図２に示すように光照射型の美容器具は、グリップを兼ねる本体ケース１の下端（一端）に照射ヘッド２を備えており、本体ケース１の内部に電池３と制御基板４とが設けられている。本体ケース１の前面の上部には、電源スイッチ５が設けられている。本体ケース１の内部で照射ヘッド２の左右には、本体ケース１を一定量ずつ移動させて、肌面における照射領域の重複を減少し、かつ、肌面における照射領域の通越し移動を減少させるシフト手段６が設けられている。シフト手段６は、本体ケース１を厳密に一定量ずつ移動させるものである必要はなく、移動量のばらつきによって照射領域の僅かな重複や、僅かな通越し移動を生じるものであっても、実用上何ら問題はない。因みに、シフト手段６による移動量に関しては、照射領域の僅かな通越し移動を生じるような設定より、照射領域に僅かな重複を生じるような設定であるほうが、未処理の肌面が残らない点で好ましい。
【００６４】
照射ヘッド２は、断面が逆Ｖ字状の照射ケース１０の内部に発光源１１とリフレクター１２を収容し、照射ケース１０の下面開口を透明な防護カバー１３で覆って構成されている。発光源１１は直線管状のキセノンフラッシュランプからなり、リフレクター１２は発光源１１から放射された高輝度の光を集光し反射させて、防護カバー１３から肌面に向かって放射する。制御基板４には、高電圧の電流を調整する電圧調整回路や、高電圧の電流を充電するコンデンサー１４などが設けられており、コンデンサー１４に充電された電流を発光源１１に供給することにより発光源１１が点灯されて、発光時間の短いパルス光が放射される。防護カバー１３は、本体ケース１の下端面と面一になっており、防護カバー１３の下端面が投光部１５となる。
【００６５】
シフト手段６は、一対のシフトローラー（シフト回転体）１８と、同ローラー１８を回転自在に支持する支持枠体１９と、シフトローラー１８が所定量転動する毎に停止保持する転動停止構造２０などで構成される。シフトローラー１８は、プラスチック製のローラーからなり、その周面にはスリップを防ぐ浅い溝が形成されている。また、シフトローラー１８の一側には後述する回転側節度体２８が一体に設けられており、これら両者１８・２８は支持枠体１９に固定したローラー軸２１で回転自在に軸支されている。美容器具の外観をすっきりさせて、そのデザイン性を向上するために、シフトローラー１８は肌面に密着した状態の投光部１５の外郭線内に配置されている。
【００６６】
支持枠体１９は、本体ケース１に設けたガイド枠２２で上下スライド自在に案内支持されており、その上端には点灯スイッチ２５をオン操作するスイッチ腕２３が一体に設けられている。支持枠体１９は、本体ケース１に設けたばね受け座とスイッチ腕２３の間に配置した圧縮コイル形の付勢ばね２４で押下げ付勢されていて、常態においてはシフトローラー１８の周面が投光部１５から肌面側へ突出する突出姿勢に保持されている。この状態でシフトローラー１８を肌面にあてがい、本体ケース１を付勢ばね２４の付勢力に抗して押圧操作することにより、支持枠体１９はシフトローラー１８の周面が投光部１５と略面一になる作動姿勢に切換わって、投光部１５を肌面に密着させることができる。支持枠体１９が作動姿勢に切換えられた状態では、点灯スイッチ２５がスイッチ腕２３でオン操作されるので、コンデンサー１４に充電された高電圧の電流が発光源１１に供給されて発光源１１を発光させることができる。投光部１５が新たな照射領域まで移動操作されたときの支持枠体１９は、付勢ばね２４で突出姿勢に保持されて、いつでも光照射を開始できる状態で待機している。つまり、実施例１における支持枠体１９は、突出姿勢において光を照射するための待機姿勢に保持されている。
【００６７】
転動停止構造２０は、シフトローラー１８と一体に設けられた回転側節度体２８と、支持枠体１９に固定される固定側節度体２９と、固定側節度体２９を回転側節度体２８と係合する向きに移動付勢する弾性体３０とで構成される。回転側節度体２８の周面の４個所には、部分円弧状のクリック凹部３１が一定間隔おきに形成されている。また、固定側節度体２９は板バネ材で逆凸字状に形成されていて弾性体３０を兼ねており、その下面側にクリック凹部３１と係合する部分円弧状のクリック凸部３２が形成されている。こうした転動停止構造２０によれば、シフトローラー１８が４分の１回転する毎に、クリック凹部３１がクリック凸部３２と係合して、シフトローラー１８を停止保持する。このとき、図４に示すように、シフトローラー１８が転動する距離Ｒと、投光部１５（防護カバー１３）の前後幅Ｌの関係は（Ｒ＝Ｌ）を満足することが好ましく、必要があれば（Ｒ≒Ｌ）を満足し、かつ（Ｒ＜Ｌ）を同時に満足できる寸法関係にあってもよい。つまり、移動量のばらつきによって照射領域が僅かに重複する設定であってもよい。
【００６８】
美容器具を使用する場合には、電源スイッチ５をオン操作してコンデンサー１４に対する高圧電流の充電を開始し、充電完了状態を示すＬＥＤ（図示していない）が点灯されるのを待つ（約３秒）。ＬＥＤが点灯した状態で、シフトローラー１８をむだ毛処理が必要な肌面にあてがい、本体ケース１を付勢ばね２４のばね力に抗しながら肌面側へ押付けて、投光部１５を肌面に密着させる。投光部１５が肌面に密着するのと同時に、点灯スイッチ２５がスイッチ腕２３でオン操作されるので、コンデンサー１４に充電された高電圧の電流を供給して発光源１１が発光される。また、発光源１１が発光することで、発光時間が短い高輝度のパルス光を肌面に照射し、むだ毛の毛根部分に熱的なダメージを与えて、むだ毛が再生するのを阻止することができる。
【００６９】
次に、本体ケース１に対する押圧力を解放して投光部１５を肌面から浮離れさせ、シフトローラー１８を転動させながら本体ケース１を次のむだ毛処理位置へ移動させる。つまり、発光源１１を発光させて高輝度のパルス光を肌面に照射する毎に、本体ケース１を一定量ずつ移動させるが、一定量とは投光部１５の有効照射面のうち短辺の長さを目標とする。しかし、実際には移動量のばらつきによって照射領域の僅かな重複や、僅かな通越し移動を生じることのほうが多いので、一定量とは照射領域の僅かな重複や、僅かな通越し移動を生じている状態を含むこととする。本体ケース１が移動するのに伴って、クリック凹部３１が固定側節度体２９を弾性変形させながらクリック凸部３２から抜け出し、移動開始からシフトローラー１８が４分の１回転した状態で、クリック凸部３２がクリック凹部３１に落込み係合してシフトローラー１８を停止保持させる。この状態で、充電完了状態を示すＬＥＤが点灯していることを確認したのち、再び本体ケース１を付勢ばね２４のばね力に抗しながら肌面側へ押付けて、投光部１５を肌面に密着させ、発光源１１を発光させてむだ毛処理を行う。
【００７０】
以後、本体ケース１の移動と、発光源１１の発光を繰返し行って、必要な範囲の肌面のむだ毛処理を行う。むだ毛処理が終了したら、電源スイッチ５をオフ操作して、コンデンサー１４に対する高圧電流の充電を停止する。シフトローラー１８が突出姿勢に切換った状態では、投光部１５が肌面から浮離れているので、新たな照射領域へ移動するときに投光部１５が肌面に摺接して違和感を与え、あるいは不快な摺接刺激を与えるのを防止できる。
【００７１】
本体ケース１が移動操作されるときの移動距離は、照射ヘッド２の照射領域の前後幅と同じか、これより僅かに小さく設定されている。従って、本体ケース１を移動させて肌面に光を照射するとき、前回の照射領域と新たな照射領域が大きく重複して、１回の美容処理における発光源１１の照射回数が増加するのを防止できる。従って、発光源１１が早期に劣化するのを解消して、美容器具を長期にわたって使用し続けることができる。また、シフトローラー１８が４分の１回転する毎に、シフトローラー１８を転動停止構造２０で停止保持できるので、照射ヘッド２をシフト移動させるときの移動量がばらつくのを減少して通越し移動が生じるのを抑止でき、前回の照射領域と新たな照射領域の間にパルス光が照射されなかった未処理の肌面が残るのを良く防止できる。
【００７２】
上記の美容器具によれば、シフトローラー１８が所定量回転する毎に回転側節度体２８と固定側節度体２９が互いに係合して、シフトローラー１８を適確に停止保持できる。従って、シフトローラー１８の回転量が大小にばらつくのを減少して、むだ毛処理を万遍なく的確に行うことができる。また、シフト回転体を支持枠体１９で回転可能に支持したシフトローラー１８で構成したので、肌面に沿ってシフトローラー１８が転動することで、本体ケース１を肌面に沿って一定量ずつ円滑に移動操作できる。従って、シフト回転体がローラー構造ではない回転体で構成してある場合に比べて、照射ヘッド２の移動量が大小にばらつくのを解消できる。
【００７３】
本体ケース１の移動方向と直交する照射ヘッド２の左右両側にシフトローラー１８を配置したので、美容器具の全体重量を一対のシフトローラー１８で支持した状態で移動でき、照射ヘッド２の移動を安定した状態で適確に行える。また、シフトローラー１８を照射領域の左右両側に配置したので、前回の照射領域と新たな照射領域を明確に目視しながらシフトローラー１８を適確に回転させることができる。例えば図６に示すように、シフトローラー１８が本体ケース１の前後いずれかに設けてある場合には、照射領域を目視する際の邪魔になるおそれがある。さらに、シフトローラー１８を本体ケース１の肌接触面の外郭線内に配置したので、シフト手段６の殆どの部分が本体ケース１で覆われるので、シフト手段６が視認されて繁雑な印象を与えるのを極力避けて、美容器具の外観上のデザイン性を向上できる。
【００７４】
（実施例２）  図５に転動停止構造２０を変更した実施例２に係る美容器具を示す。この美容器具では、シフトローラー１８とは別に回転側節度体２８を設け、シフトローラー１８と一体に原動ギヤ３５を設け、さらに回転側節度体２８と一体に従動ギヤ３６を設けた。原動ギヤ３５と従動ギヤ３６のギヤ比は１対２として、シフトローラー１８が２回転したときに、回転側節度体２８が１回転するように構成した。回転側節度体２８と一体の従動ギヤ３６は、支持枠体１９に固定したギヤ軸３７で回転自在に支持されており、回転側節度体２８の周面の１か所に限ってクリック凹部３１を設けた。この実施例２の美容器具は、実施例１の美容器具と同様にして使用されるが、シフトローラー１８が２回転した時点で、クリック凸部３２がクリック凹部３１に落込み係合してシフトローラー１８が停止保持される点が異なる。実施例２における支持枠体１９は、実施例１の支持枠体と同様に、突出姿勢において光を照射するための待機姿勢に保持されている。
【００７５】
実施例２の美容器具によれば、前回の照射領域から新たな照射領域まで移動する距離を一定とするとき、シフトローラー１８の直径を大幅に小さくして、実施例１の美容器具に比べてシフトローラー１８を小形化しコンパクト化できる。また、シフトローラー１８を本体ケース１の肌接触面の外郭線内に配置する場合には、シフトローラー１８を小形化できる分だけ、同ローラー１８が目立つのを解消して美容器具の外観上のデザイン性を向上できる。この実施例においても、本体ケース１をシフト手段６で一定量ずつ移動させるが、一定量とは投光部１５の有効照射面のうち短辺の長さに相当する距離を目標としており、このことは実施例３以下においても同様とする。その他の点は実施例１と同じであるので、同じ部材に同じ符号を付してその説明を省略する。実施例３以下においても同様とする。
【００７６】
（実施例３）  図６ないし図８に、シフト手段６および転動停止構造２０を変更した本発明の実施例３に係る美容器具を示す。そこでは、本体ケース１の後側（照射ヘッド２の移動方向の一側）に配置したシフトローラー１８と、シフトローラー１８を回転可能に支持する支持枠体１９でシフト手段６を構成した。シフトローラー１８は左右に長いローラーからなり、その両側に回転側節度体２８が一体に設けられている。回転側節度体２８の周面の３個所にはクリック凹部３１が一定間隔おきに設けられている。また、固定側節度体２９は横臥凸字状に形成されて、本体ケース１の後面下部に固定されている。本体ケース１の上面には、発光源１１を点灯するための点灯スイッチ２５が設けてある。
【００７７】
支持枠体１９を突出姿勢、作動姿勢、および格納姿勢に切換え可能とするために、本体ケース１の後面の左右に一対のガイド枠４０を設け、このガイド枠４０で支持枠体１９を上下スライド自在に案内支持されている。支持枠体１９は門形に形成されており、上枠の左右両端に張出したスライド片４１がガイド枠４０でスライド案内される。支持枠体１９を突出姿勢、作動姿勢、および格納姿勢の各姿勢で位置保持するために、ガイド枠４０と支持枠体１９の対向面に位置保持構造が設けられている。位置保持構造は、ガイド枠４０の上下３個所に形成した部分球面状のクリック凹部４２と、スライド片４１の側に設けた部分球面状のクリック凸部４３で構成される。
【００７８】
実施例３の美容器具は、支持枠体１９をシフトローラー１８の周面が投光部１５よりも僅かに突出する作動姿勢（図６に示す状態）に切換えて、シフトローラー１８が転動停止構造２０で停止保持された状態で、点灯スイッチ２５をオン操作することにより発光源１１を発光させてむだ毛処理を行う。また、本体ケース１が前回の照射領域から新たな照射領域へ移動操作される毎に、点灯スイッチ２５を押込み操作することにより発光源１１を発光させて、むだ毛処理を断続的に行うことができる。作動姿勢において、シフトローラー１８の周面を投光部１５よりも僅かに突出させるのは、光照射時にシフトローラー１８が柔らかな肌面に沈込んで投光部１５を肌面に密着できるからである。また、光照射後には投光部１５を肌面から浮離れさせて、シフトローラー１８を次の照射領域へ向かって支障なく回転操作できるからである。
【００７９】
支持枠体１９をシフトローラー１８の周面が投光部１５より下方に突出する突出姿勢（図８に示す状態）に切換えた状態では、回転側節度体２８が固定側節度体２９から分離して、シフトローラー１８が自由に回転できる状態となる。この状態のシフトローラー１８を肌面に沿って転動させることにより、肌面に転がり刺激や擦り刺激を与えて美容効果を高めることができる。このとき、投光部１５は肌面から浮離れているので、シフトローラー１８で美容処理を行う際に投光部１５が邪魔になるのを防止して、シフトローラー１８による美容処理を軽快に行える。支持枠体１９をシフトローラー１８の周面が投光部１５より上方に位置する格納姿勢にした状態では、鼻と唇の間の肌面に光を照射して美容処理を行う際に、シフトローラー１８が邪魔になるのを解消して、美容器具の使い勝手を向上できる。以上のように、支持枠体１９は、本体ケース１で突出姿勢と作動姿勢の間、および作動姿勢と格納姿勢の間で切換え可能に支持されている。突出姿勢に切換え操作された支持枠体１９は、シフトローラー１８を美容ローラーとして使用するためのローラー姿勢に保持されている。
【００８０】
（実施例４）  図９ないし図１１はシフト手段６および転動停止構造２０を変更した実施例４に係る美容器具を示す。そこでは、支持枠体１９を本体ケース１に固定した揺動軸４５で揺動可能に支持して、支持枠体１９を突出姿勢、作動姿勢、および格納姿勢に切換え操作できるようにした。また、支持枠体１９を中空ケース状に構成して、その内部に揺動軸４５に固定される固定ギヤ４６と、固定ギヤ４６と噛合う中間ギヤ４７と、中間ギヤ４７と噛合う終段ギヤ４８と、終段ギヤ４８に隣接配置される回転側節度体２８とを配置した。中間ギヤ４７および終段ギヤ４８は、それぞれ支持枠体１９のケース壁で回転自在に軸支されており、回転側節度体２８はシフトローラー１８のローラー軸２１に固定されている。終段ギヤ４８は扇形ギヤとして形成されており、ギヤ歯が形成されていない周面に、三角枠状のクリック凸部３２が一体に形成されており、終段ギヤ４８自身が固定側節動体２９として機能するようにした。シフトローラー１８は、実施例３のシフトローラー１８と同様に左右に長いローラーからなる。
【００８１】
支持枠体１９を突出姿勢、作動姿勢、および格納姿勢の各姿勢で位置保持するために、本体ケース１と支持枠体１９の対向面に位置保持構造を設けている。図９に示すように、位置保持構造は、本体ケース１に形成したボール穴４９に収容される鋼製のボール５０と、圧縮コイル形のばね５１と、支持枠体１９の側に凹み形成される部分球面状の３個の係合凹部５２などで構成されている。支持枠体１９を突出姿勢、作動姿勢、格納姿勢の各姿勢に切換えた状態では、ボール５０が各係合凹部５２に落込み係合するので、支持枠体１９を各姿勢に位置保持することができる。本体ケース１の前面には、発光源１１を点灯するための点灯スイッチ２５が設けてある（図１０参照）。
【００８２】
図１０に示すように、支持枠体１９が突出姿勢に切換えられた状態では、クリック凸部３２が回転側節度体２８から分離して、シフトローラー１８が自由に回転できる状態になっている。この状態のシフトローラー１８を肌面に沿って転動させることにより、肌面に転がり刺激や擦り刺激を与えて美容効果を高めることができる。このように、突出姿勢に切換え操作された支持枠体１９は、シフトローラー１８を美容ローラーとして使用するためのローラー姿勢に保持されている。支持枠体１９を突出姿勢から作動姿勢に切換え操作すると、中間ギヤ４７は固定ギヤ４６と噛合った状態で反時計回転方向へ回転し、終段ギヤ４８は時計回転方向へ回転する。そのため、クリック凸部３２は徐々に回転側節度体２８に接近し、図１１に示すように支持枠体１９が作動姿勢に切換った状態では、クリック凸部３２がクリック凹部３１と係合して、シフトローラー１８の転動を阻止している。また、ボール５０がふたつ目の係合凹部５２に落込み係合して、支持枠体１９を作動姿勢に位置保持している。支持枠体１９が作動姿勢から格納姿勢に切換えられた状態では、シフトローラー１８が本体ケース１に凹み形成した格納凹部５３に収容されるので、美容器具の使い勝手を向上できる。
【００８３】
上記の状態のシフトローラー１８の下周面は照射ヘッド２の投光部１５よりも僅かに突出しているので、投光部１５を肌面に押付けた状態で点灯スイッチ２５を押込み操作することにより発光源１１を発光させてむだ毛処理を行うことができる。また、本体ケース１が前回の照射領域から新たな照射領域へ移動操作する毎に、シフトローラー１８の転動を転動停止構造２０で阻止して、肌面における照射領域が重複するのを防止できる。さらに、転動停止構造２０は肌面における照射領域の通越し移動を防止して、むだ毛処理を万遍なく的確に行うことができる。以上のように、実施例４の美容器具においては、支持枠体１９が突出姿勢から作動姿勢へ揺動操作されるのに連動して中間ギヤ４７および終段ギヤ４８が回転駆動されて、固定側節度体２９が回転側節度体２８と係合してシフトローラー１８を停止保持している。
【００８４】
（実施例５）  図１２はシフト手段６を変更した実施例５に係る美容器具を示す。そこでは、実施例１と同様に支持枠体１９で回転自在に支持したシフトローラー１８を、支持枠体１９に装着したモーター５６の回転動力でギヤトレイン５７を介して回転駆動して、美容器具を自走できるようにした。ギヤトレイン５７は、モーター５６の回転動力を減速伝動して、シフトローラー１８をゆっくりと回転駆動する。支持枠体１９は本体ケース１で上下動可能に案内支持されて、付勢ばね２４で押下げ付勢されており、常態においてはシフトローラー１８の周面が投光部１５から肌面側へ突出する突出姿勢に保持されている。上記のように、この実施例では本体ケース１の内部に、モーター５６およびギヤトレイン５７を備えた駆動構造を設け、シフトローラー１８をモーター５６の動力で回転駆動するようにした。また、シフトローラー１８を駆動構造で間欠的に回転駆動して、照射ヘッド２の投光部１５が新たな照射領域と正対する毎に、シフトローラー１８を停止保持させるようにした。さらに、本体ケース１の固定壁に自走スイッチ２６を設け、支持枠体１９にスイッチ操作腕２７を設けて、支持枠体１９が作動姿勢から突出姿勢に切換った状態において自走スイッチ２６がスイッチ操作腕２７でオン操作されて、モーター５６を起動できるようにした。また、シフトローラー１８が新たな照射領域と正対した状態で、モーター５６を停止させるようにした。
【００８５】
美容器具を使用する場合には、充電完了状態を示すＬＥＤが点灯されるのを待って、シフトローラー１８をむだ毛処理が必要な肌面にあてがい、本体ケース１を付勢ばね２４のばね力に抗しながら肌面側へ押付けて、投光部１５を肌面に密着させる。投光部１５が肌面に密着するのと同時に、点灯スイッチ２５がスイッチ腕２３でオン操作されるので、コンデンサー１４に充電された高電圧の電流を供給して発光源１１が発光される。次に、本体ケース１に加わっていた押付け力を解放すると、支持枠体１９が作動姿勢から突出姿勢に切換って自走スイッチ２６がオン操作されるので、モーター５６が起動して本体ケース１を新たな照射領域へ向かって自走させる。さらに、美容器具が新たな照射領域まで移動した時点でモーター５６が停止するので、再び本体ケース１を肌面側に押付けて投光部１５を肌面に密着させ、発光源１１を発光させて美容処理を行う。以後、美容器具の移動と発光源１１の発光を交互に行って、必要な範囲の肌面のむだ毛処理を行う。なお、電源スイッチ５をオン操作して美容器具を使用する際に、支持枠体１９が突出姿勢に切換って自走スイッチ２６がオン操作されている可能性があるが、この場合にモーター５６が起動されることはなく、点灯スイッチ２５がオン操作され、その次に支持枠体１９が突出姿勢に切換って自走スイッチ２６がオン操作された場合にのみ、モーター５６が起動される。以上のように構成した実施例５に係る美容器具においては、シフトローラー１８を回転駆動するモーター５６およびギヤトレイン５７がシフト手段６として機能しており、さらにモーター５６が転動停止構造２０として機能している。実施例５における支持枠体１９は、実施例１の支持枠体１９と同様に、突出姿勢において光を照射するための待機姿勢に保持されている。
【００８６】
実施例５の美容器具では、シフトローラー１８をモーター５６の回転動力を駆動源とする駆動構造で回転駆動することにより、美容器具を自走移動させて投光部１５を新たな照射領域に臨ませることができる。従って、ユーザー自身が本体ケース１を移動操作して投光部１５を新たな照射領域に臨ませる場合に比べて、投光部１５の移動量が大きくばらつくのを解消できる。また、シフトローラー１８を駆動構造で間欠的に回転駆動して、照射ヘッド２の投光部が新たな照射領域と正対する毎にシフトローラー１８を停止保持するので、シフトローラー１８を過不足なく自走移動でき、照射領域が重複し、あるいは照射領域の通越し移動をさらに確実に減少できる。美容器具を使用するときのユーザーは、単に本体ケース１を適正な姿勢に保持しておくだけでよいので、美容処理に要する手間を省いて簡便に美容処理を行える。また、転動停止構造２０を省略できるので美容器具の構造を簡素化できる。
【００８７】
（実施例６）  図１３、図１４はシフト手段６を変更した実施例６に係る美容器具を示す。そこでは、本体ケース１の照射ヘッド２の外面に筒状のキャップ枠５９を着脱自在に装着し、キャップ枠５９で支持枠体１９を突出姿勢と作動姿勢と格納姿勢に切換え可能に支持するようにした。各姿勢に切換えられた支持枠体１９は、実施例４で説明した位置保持構造で位置保持される。また、キャップ枠５９の後面上部に横臥Ｊ字状のローラー収容部６０を設けて、固定側節度体２９を兼ねるローラー収容部６０の遊端に三角枠状のクリック凸部３２を設けた。支持枠体１９が作動姿勢に切換えられた状態においては、シフトローラー１８と同行回転する回転側節度体２８のクリック凹部３１に先のクリック凸部３２が係合しており、この状態のシフトローラー１８の周面は照射ヘッド２の投光部１５よりも僅かに突出している。本体ケース１の前面には、発光源１１を点灯するための点灯スイッチ２５が設けてある（図１３参照）。この実施例におけるキャップ枠５９は円筒状に形成する必要はなく、断面Ｃ字状や、筒壁が複数の縦溝で分断された筒体で形成してあってもよい。
【００８８】
美容器具を使用する場合には、実施例４の美容器具と同様に、投光部１５を肌面に押付けた状態で点灯スイッチ２５を押込み操作することにより発光源１１を発光させてむだ毛処理を行うことができる。図１３に示すように、キャップ枠５９を本体ケース１から取外し、支持枠体１９を突出姿勢に切換えると、シフトローラー１８が回転自在となるので、この状態のシフトローラー１８を肌面に沿って転動させることにより、肌面に転がり刺激や擦り刺激を与えて美容効果を高めることができる。支持枠体１９を格納姿勢に切換えた状態では、シフトローラー１８が作動姿勢とは逆に本体ケース１の前面側に位置保持される。
【００８９】
実施例６の美容器具によれば、支持枠体１９が作動姿勢に切換えられた状態においては、シフトローラー１８がローラー収容部６０に収容されるので、誤って他物がシフトローラー１８に接当して支持枠体１９が突出姿勢に切換えられてしまうのをローラー収容部６０で防止できる。また、本体ケース１から取外したキャップ枠５９を使用して肌面に転がり刺激や擦り刺激を与えることができるので、支持枠体１９が本体ケース１に装着された状態のままで転がり刺激を与える場合に比べて、美容処理を手軽にしかも簡便に行える。さらに、支持枠体１９は、各姿勢に切換った状態で位置保持構造によって位置保持されるので、ユーザーの明確な意図がない限り支持枠体１９の姿勢が変わってしまうのを確実に防止できる。突出姿勢に切換え操作された支持枠体１９は、シフトローラー１８を美容ローラーとして使用するためのローラー姿勢に保持されている。
【００９０】
（実施例７）  図１５、図１６にシフト手段６を変更した実施例７の美容器具を示す。そこでは、本体ケース１の下端に配置した中空筒状のシフト回転体１８を、支持枠体１９で回転自在に軸支した。シフト回転体１８は断面が正六角形状に形成されており、その内部に、照射ケース１０、発光源１１、およびリフレクター１２を備えた照射ヘッド２と、同ヘッド２を固定支持するヘッド枠６２を設けた。ヘッド枠６２は、支持枠体１９に設けたローラー軸２１と一体化されており、照射ヘッド２を固定支持している。図１６に示すように、シフト回転体１８は基枠１８ａと、各辺部に固定される透明な照射窓板１８ｂを備えており、両側端の軸受部１８ｃが先のローラー軸２１で回転可能に支持されている。照射ヘッド２の防護カバー１３は下突湾曲状に形成されている。本体ケース１は、支持枠体１９で上下動可能に支持されて、付勢ばね２４で押上げ付勢されている。
【００９１】
使用時には、照射窓板１８ｂを肌面に密着させた状態で、本体ケース１を押下げ操作することにより、点灯スイッチ２５がオン状態に切換って発光源１１を発光させてむだ毛処理を行う。次に、本体ケース１に対する押圧力を解放して、点灯スイッチ２５をオフ状態に切換えた状態で、シフト回転体１８を回転させて美容器具を新たな照射領域へ移動させる。美容器具が移動操作されるときは、シフト回転体１８が六分の一回転する毎に、照射窓板１８ｂを含む辺部が肌面で受止められて、その状態を保持できる。
【００９２】
以上のように、シフト回転体１８は、その隣接する頂部の間の辺部（安定周面）６３が肌面に接触して転動を阻止するので、シフト回転体１８自体が転動停止構造２０を兼ねることができる。そのため、転動停止構造２０を省略できる分だけ美容器具の構造を簡素化して製造コストを削減できる。また、照射ヘッド２がシフト回転体１８の内部に収容されているので、落下衝撃をシフト回転体１８で受け止めることができ、落下衝撃によって発光源１１が破損するのをよく防止できる。照射ヘッド２がヘッド枠６２で固定支持されているので、シフト回転体１８が新たな照射領域へ向かって回転移動した場合でも、照射ヘッド２は本体ケース１の延長上に位置しており、両者１・２の位置関係は常に一定になる。そのため美容器具を使用するときは、本体ケース１を肌面に対して直交姿勢にするだけで、投光部１５を肌面に正対させて、適正に美容処理を行うことができる。従って、本体ケース１が肌面に対して傾き、しかも投光部１５と正対していない照射窓板１８ｂが肌面に接触した状態で、発光源１１が発光される誤使用を確実に防止できる。なお、シフト回転体１８は円筒状に形成してあってもよい。
【００９３】
（実施例８）  図１７ないし図１９はシフト手段６を変更した実施例８の美容器具を示す。そこでは、グリップを兼ねる本体ケース１の一端に照射ヘッド２を固定し、その周囲に円筒状のシフトローラー１８を配置した。照射ヘッド２を構成する照射ケース１０の周面と防護カバー１３の周面の断面は、円形に連続する状態で形成されており、照射ケース１０の基端が本体ケース１に固定されている。シフトローラー１８は、透明な円筒状の照射筒壁６４を備えており、同壁６４の基端側に固定した節度リング６５が、本体ケース１で回転可能に片持ち支持されている。本体ケース１と節度リング６５の間には、転動停止構造２０が設けられている。図１９において転動停止構造２０は、本体ケース１に形成したボール穴６６に収容される鋼製のボール６７、および圧縮コイル形のばね６７ａと、節度リング６５の内面に凹み形成される４個の係合凹部６９で構成されている。
【００９４】
美容器具を使用する場合には、本体ケース１を片手で持って、投光部１５と正対するシフトローラー１８の周面を肌面にあてがい、図示していない点灯スイッチ２５をオン操作することにより、発光源１１を発光させてむだ毛処理を行う。次に、図示していないコンデンサーに高圧の電流が充電されるのを待って、シフトローラー１８を回転させるが、美容器具が新たな照射領域へ移動する毎に、ボール６７が係合凹部６９に落ち込み係合して、シフトローラー１８を停止保持できる。以後は、発光源１１の発光と、シフトローラー１８の回転移動を交互に行って、肌面の必要な領域にむだ毛処理を施す。
【００９５】
（実施例９）  図２０はシフト手段６を変更した実施例９の美容器具を示す。そこでは、シフト回転体１８を、３個の頂部６８を備えた正三角形状に形成した。このシフト回転体１８によれば、シフト回転体１８が頂部６８を乗り越えながら新たな照射領域へ向かって所定量転動する毎に、シフト回転体１８の隣接する頂部６８の間の辺部（安定周面）６３が肌面に接触して転動を阻止できる。このように、シフト回転体１８自体が転動停止構造２０を兼ねるようにすると、転動停止構造２０を省略できる分だけ美容器具の構造を簡素化して製造コストを削減できる。また、シフト回転体１８が回転するとき、投光部１５が肌面から浮き離れた状態になるので、肌面が投光部１５で不必要に擦られるのを解消して肌面を保護できる。さらに、次に説明する、楕円形に形成されたシフト回転体１８に比べて、安定した状態でシフト回転体１８を停止保持できる。この実施例から理解できるように、シフト回転体１８は、３個以上の頂部６８を備えた正多角形状に形成することができる。
【００９６】
（実施例１０）  図２１はシフト手段６を変更した実施例１０の美容器具を示す。そこでは、シフト回転体１８の外形形状を一対の頂部６８を備えた楕円形に形成した。このシフト回転体１８によれば、シフト回転体１８が頂部６８を乗り越えながら新たな照射領域へ向かって所定量転動する毎に、シフト回転体１８の隣接する頂部６８の間の周面（安定周面）６３が肌面に接触して転動を阻止できるようにした。安定周面となる周面６３は、楕円の短軸と交差する状態で肌面に接触する湾曲半径が大きな周面である。この実施例に係るシフト手段６は、実施例９に係るシフト手段６と同様に、シフト回転体１８自体が転動停止構造２０を兼ねるので、転動停止構造２０を省略できる分だけ美容器具の構造を簡素化して製造コストを削減できる。
【００９７】
（実施例１１）  図２２および図２３はシフト手段６を変更した実施例１１の美容器具を示す。そこでは、シフト手段６を、照射ヘッド２の投光部１５の周囲隅部寄りに設けた４個の突出構造体７０で構成し、同構造体７０を圧縮コイル形のばね（弾性体）７１で、照射ケース１０から進出する向きに押出し付勢した。突出構造体７０は丸軸状に形成してあり、その下端に円形の凹み７２を形成して、凹み７２の周囲にリング状の賦形部７３を形成した。
【００９８】
美容器具を使用する場合には、ばね７１のばね力に抗しながら投光部１５を肌面に密着させて発光源１１を発光させる。このとき、賦形部７３が肌面に食い込んで、肌面にリング状の４個の押付跡が形成されるので、美容器具を新たな照射領域へ移動させる際に、先の押付跡を指標にして投光部１５を新たな照射領域に正対させることにより、前回の照射領域と新たな照射領域を過不足なく隣接させることができる。とくにこの実施例では、突出構造体７０の中心を、投光部１５の長辺の延長線上に位置させているので、前回の照射領域と新たな照射領域を正確に連続させることができる。また、また、投光部１５の周囲に複数の突出構造体７０を設けるだけであるので、シフト回転体１８を移動要素とするシフト手段６に比べて、美容器具の構造を著しく簡素化して低コスト化できる。さらに、突出構造体７０をばね７１で進出付勢しているので、突出構造体７０が肌面に押付けられるとき、弾性体７１が弾性変形することで過剰な押付け力を吸収できる。従って、賦形部７３が肌面に不必要に食い込むのを解消して、押付跡が深く形成されることに伴う肌面のダメージを極力避けることができる。
【００９９】
（実施例１２）  図２４は突出構造体７０を変更した実施例１２の美容器具を示す。そこでは、突出構造体７０を投光部１５の周囲を囲む四角枠状の突リブで形成し、その突端面に網目状の賦形部７３を突出形成した。この実施例の突出構造体７０は、実施例１１で説明した突出構造体７０と同様に、投光部１５を肌面に密着させて発光源１１を発光させるとき、突出構造体７０の突端面および賦形部７３が肌面に食い込んで、肌面に四角枠状の押付跡と、網目状の押付跡が形成される。美容器具を新たな照射領域へ移動させる際には、先の押付跡を指標にして投光部１５を新たな照射領域に正対させるが、このとき、四角枠状の凸リブの内周縁が、四角枠状の押付跡の内周縁と重なる状態で投光部１５を新たな照射領域に正対させることにより、前回の照射領域と新たな照射領域を過不足なく隣接させることができる。
【０１００】
（実施例１３）  図２５は突出構造体７０を変更した実施例１３の美容器具を示す。そこでは、シフト手段６を、投光部１５の周囲隅部寄りに設けた４個のスタンプ体７４で構成した。スタンプ体７４は丸軸状の多孔性ゴム材で形成した賦形部７３と、賦形部７３に隣接配置したインク吸蔵マット７５で構成されており、賦形部７３を肌面に押付けることにより、スタンプ跡を連続して形成することができる。インク吸蔵マット７５に吸蔵させてある印字用インクは、ティシュペーパーなどで容易に消去できるうえ、肌荒れや湿疹などを生じることのない植物由来の染料系インクからなり、スタンプ跡がかろうじて見える程度にまでインク原液を水で薄めて形成してある。
【０１０１】
美容器具を使用する場合には、投光部１５を肌面に密着させて発光源１１を発光させる。このとき、賦形部７３が肌面に密着して４個のスタンプ跡が形成されるので、美容器具を新たな照射領域へ移動させる際に、先のスタンプ跡を指標にして投光部１５を新たな照射領域に正対させることができる。従って、照射領域が重複し、あるいは照射領域の通越し移動を防止して、万遍なく美容処理を行える。また、投光部１５の周囲に複数のスタンプ体７４を設けるだけであるので、シフト回転体１８を移動要素とするシフト手段６に比べて、美容器具の構造を著しく簡素化して低コスト化できる。スタンプ体７４の中心が、実施例１１の突出構造体７０と同様に、投光部１５の長辺の延長線上に位置させているので、前回の照射領域と新たな照射領域を正確に連続させることができる。
【０１０２】
（実施例１４）  図２６は発光源１１を発光させるためのスイッチ構造を変更した実施例１４の美容器具を示す。そこでは、シフトローラー１８と支持枠体１９の間に、発光源１１への駆動電流の供給を許すスイッチ構造を設けた。具体的には、回転側節度体２８のクリック凹部３１に導通端子７８を埋設固定し、固定側節度体２９のクリック凸部３２に導通端子７８で導通される一対の接触端子７９を設けた。そして、これらの端子７８・７９が導通したことを点灯条件にして、制御回路８０が発光源１１に高圧の駆動電流を供給して発光するようにした。導通端子７８と接触端子７９が発光源１１を点灯するためのスイッチ８１を構成している。こうしたスイッチ構造によれば、シフトローラー１８が停止する毎に、発光源１１を自動的に発光させて美容処理を行うことができる。
【０１０３】
上記のスイッチ構造によれば、シフトローラー１８が所定量転動して停止するのと同時に、発光源１１を自動的に発光できるので、発光源１１を点灯するためのスイッチ操作を行う必要がない。従って、美容処理に要する手間をさらに省いて、より簡便に美容処理を行える。また、このスイッチ構造によれば、シフトローラー１８が停止する毎に、オン状態に切換って発光源１１を発光させることができる。
【０１０４】
（実施例１５）  図２７は発光源１１を発光させるためのスイッチ構造をさらに変更した実施例１５の美容器具を示す。そこでは正三角形状に形成したシフト回転体１８の各辺部に、肌面に接触する一対の接触端子７９を設けてスイッチ８１を構成した。こうしたスイッチ構造によれば、シフト回転体１８が所定量転動して停止するのと同時に、一対の接触端子７９が肌面を介して導通するので、そのことを点灯条件にして、制御回路８０が発光源１１に高圧の駆動電流を供給して発光させることができる。従って、実施例１４の美容器具と同様に、ユーザーの手間を省いて迅速にむだ毛処理を行うことができる。
【０１０５】
（実施例１６）  図２８および図２９はシフト手段６を変更し、さらに発光源１１を発光させるためのスイッチ構造を変更した実施例１６の美容器具を示す。そこでは、照射ケース１０の投光部１５の後辺部側に収容ポケット８３を設け、その内部にＬＥＤ光源８４と、集光レンズ８５と、ＣＭＯＳイメージセンサー８６を収容し、これらの光学部品とシフト報知構造でシフト手段６を構成した。符号８７は投光窓である。シフト報知構造は、光、音、振動の少なくともひとつの報知信号を発信して、照射ケース１０が所定量移動したことをユーザーに報知する。
【０１０６】
美容器具を使用する場合には、投光部１５を肌面に密着させて発光源１１を発光させる。次に美容器具を新たな照射領域へ移動させるが、このとき、ＣＭＯＳイメージセンサー８６が読み取った画像の違いから照射ケース１０の移動量を知ることができるので、照射ケース１０が所定量移動した時点で、図示していないシフト報知構造を作動させ、照射ケース１０の移動を停止して、投光部１５を新たな照射領域に正対させることができる。このように照射ケース１０の移動量を光学的に読み取って数量化し、シフト報知構造で報知する美容器具によれば、前回の照射領域と新たな照射領域は過不足なく隣接させることができる。シフト報知構造が作動するのと同時に、発光源１１に高圧の駆動電流を供給して発光させることができるので、シフト手段６は発光源１１を発光させるためのスイッチ構造を兼ねることができる。このように、シフト報知構造の作動と発光源１１の点灯は同時でもよいが、シフト報知構造を作動させたのち、所定時間（例えば０．２秒）が経過した後に発光源１１を点灯させるように制御してもよい。その場合には、発光源１１が間もなく点灯されることをシフト報知構造で事前に報知できるので、ユーザーは発光に備えて心の準備をし、あるいは発光領域から目をそらすなどの予防措置をとることができる。因みに、シフト報知構造の作動と発光源１１の点灯を同時に行う場合には、ユーザーは先のような予防措置をとることができないため、美容器具の取扱いに馴れるまで不快な思いをし、あるいは驚かされることがある。
【０１０７】
上記構成のシフト手段６によれば、投光部１５が所定量移動操作される毎に、シフト報知構造で報知信号を発して投光部１５を新たな照射領域と正対させることができる。従って、照射領域が重複し、あるいは照射領域の通越し移動を防止して、万遍なく美容処理を行うことができる。また、光、音、振動のいずれかひとつを確認することで、投光部１５が新たな照射領域と正対したことを感覚的に認識できるので、投光部１５をゆっくりと移動させる必要もなく速やかに移動操作して、美容器具の使い勝手を向上できる。さらに、投光部１５が新たな照射領域と正対する毎に、発光源１１に対して駆動電流を供給して発光源１１を自動的に発光させることができる。このように、実施例１６の美容器具によれば、投光部１５が前回の照射領域から新たな照射領域へ移動操作される毎に、発光源１１を自動的に発光させることができるので、一連の美容処理を迅速に、しかも軽快に行うことができる。
【０１０８】
実施例１６では、ＣＭＯＳイメージセンサー８６で照射ケース１０の移動量を検知して、投光部１５が新たな照射領域に移動した場合にシフト報知構造で報知信号を発して、発光源１１を自動的に発光させるようにしたが、先のセンサー８６に換えてシフトローラー１８の回転動作を利用して照射ケース１０の移動量を検知することができる。例えば、回転側節度体２８の周面に複数個の磁石を等間隔おきに埋設しておき、固定側節度体２９を支持する支持枠体１９または本体ケース１に、磁石の接近または離反でオン・オフするリードスイッチを設けて、磁石およびリードスイッチとシフト報知構造でシフト手段６を構成することができる。また、シフトローラー１８を支持するローラー軸２１に設けた磁石保持部や、シフトローラー１８の肉壁内に設けた磁石保持部に磁石を固定して、リードスイッチをオン・オフ操作してもよい。但し、ローラー軸２１に磁石を設ける場合には、ローラー軸２１がシフトローラー１８と同行回転できるように支持枠体１９で軸支する。美容器具を使用する場合には、回転側節度体２８が回転するのに応じてリードスイッチが磁石でオン・オフされるので、その回数を計測してシフト報知構造を作動させることにより、投光部１５が新たな照射領域へ移動したことを確認して、発光源１１を自動的に発光させることができる。この場合の磁石は、回転側節度体２８の周面の一個所のみに埋設してあってもよい。
【０１０９】
実施例１４から実施例１６においては、投光部１５が所定量移動操作される毎に、発光源１１に対して駆動電流を供給するスイッチがオン状態に切換って発光源１１を自動的に発光させるようにしたが、その必要はない。例えば、肌面から浮離れていた本体ケース１が照射姿勢に切換った状態において、発光源１１に対して駆動電流を供給するスイッチがオン状態に切換って発光源１１を発光できるようにしてあってもよい。こうしたスイッチ構造は、実施例１、実施例５、実施例７、実施例９から実施例１３の美容器具に適用でき、美容器具を使用する際に発光源１１を点灯するためのスイッチ操作を行う必要がないので、ユーザーの手間を省いて迅速にむだ毛処理を行うことができる。シフト回転体１８は、ゴムクローラーを転動要素にして構成してあってもよい。
【符号の説明】
【０１１０】
１  本体ケース
２  照射ヘッド
６  シフト手段
１１  発光源
１２  リフレクター
１５  投光部
１８  シフトローラー（シフト回転体）
１８ｂ  照射窓板
１８ｃ  軸受部
１９  支持枠体
２０  転動停止構造
２１  ローラー軸
２４  付勢ばね
２８  回転側節度体
２９  固定側節度体
３０  弾性体
４５  揺動軸
４６  固定ギヤ
４７  中間ギヤ
４８  終段ギヤ
５６  モーター
５９  キャップ枠
６０  ローラー収容部
６２  ヘッド枠
６３  安定周面（辺部）
６８  頂部
７０  突出構造体
７４  スタンプ体
８１  スイッチ
【図１】
2018192179.tif 000003
【図２】
2018192179.tif 000004
【図３】
2018192179.tif 000005
【図４】
2018192179.tif 000006
【図５】
2018192179.tif 000007
【図６】
2018192179.tif 000008
【図７】
2018192179.tif 000009
【図８】
2018192179.tif 000010
【図９】
2018192179.tif 000011
【図１０】
2018192179.tif 000012
【図１１】
2018192179.tif 000013
【図１２】
2018192179.tif 000014
【図１３】
2018192179.tif 000015
【図１４】
2018192179.tif 000016
【図１５】
2018192179.tif 000017
【図１６】
2018192179.tif 000018
【図１７】
2018192179.tif 000019
【図１８】
2018192179.tif 000020
【図１９】
2018192179.tif 000021
【図２０】
2018192179.tif 000022
【図２１】
2018192179.tif 000023
【図２２】
2018192179.tif 000024
【図２３】
2018192179.tif 000025
【図２４】
2018192179.tif 000026
【図２５】
2018192179.tif 000027
【図２６】
2018192179.tif 000028
【図２７】
2018192179.tif 000029
【図２８】
2018192179.tif 000030
【図２９】
2018192179.tif 000031